(57)【要約】【課題】販売業者がクレジットカードを用いて発注した商品の代金を、安全に決済することができるシステムを実現することができる。【解決手段】管理サーバ９１は、受注装置８１から、受注された商品に関する情報である受注情報を受信し、端末装置７１から、消費者１４により購入された商品に関する情報である購入情報を受信する。管理サーバ９１は、受注情報に含まれる受注された商品の代金である受注金額と、購入情報に含まれる消費者により購入された商品の代金である購入金額とを、決済サーバ１１１に送信する。決済サーバ１１１は、その受注金額と購入金額を受信し、それに基づいて、販売業者に対して与信するかどうかを判定する。本発明は、例えば、クレジットカードを用いて決済を行う決済処理システムに適用することができる。【選択図】図４
2008210125.tif 000002
【特許請求の範囲】
【請求項１】
消費者に販売する商品を発注する発注装置、前記商品を受注する受注装置、前記受注を管理する管理装置、前記消費者が購入する商品の代金の支払に用いられる前記消費者のクレジットカードに対する処理を行う端末装置、および、前記消費者に前記商品を販売する販売業者により、前記販売業者のクレジットカードを用いて発注された商品の代金を決済する販売決済処理を行う販売決済装置を備える決済処理システムにおいて、
前記発注装置は、
発注する前記商品に関する情報である発注情報を、前記受注装置に送信する発注手段
を備え、
前記受注装置は、
前記発注手段により送信されてくる前記発注情報を受信し、その発注情報に対応する受注情報を前記管理装置に送信する受注情報送信手段と、
前記管理装置から送信されてくる、前記受注の許可を表す許可情報に応じて、前記受注情報に対応する商品の受注に関する処理である受注処理を行う受注処理手段と
を備え、
前記管理装置は、
前記受注装置から前記受注情報を受信する受注情報受信手段と、
前記端末装置から、前記消費者により購入された商品に関する情報である購入情報を受信する第１の購入情報受信手段と、
前記受注情報に含まれる受注された商品の代金である受注金額と、前記購入情報に含まれる前記消費者により購入された商品の代金である購入金額とを、前記販売決済装置に送信する金額送信手段と、
前記販売決済装置から送信されてくる、前記販売業者に対して与信するかどうかを表す与信情報を受信する与信情報受信手段と、
前記与信情報に基づいて、前記許可情報を前記受注装置に送信する許可情報送信手段と
を備え、
前記端末装置は、
前記購入情報を取得する取得手段と、
取得された前記購入情報を送信する第１の購入情報送信手段と
を備え、
前記販売決済装置は、
前記管理装置から送信されてくる前記受注金額と前記購入金額を受信する金額受信手段と、
前記受注金額と前記購入金額に基づいて、前記販売業者に対して与信するかどうかを判定する判定手段と、
判定の結果を表す前記与信情報を前記管理装置に送信する与信情報送信手段と
を備える決済処理システム。
【請求項２】
前記購入金額は、前記受注が行われたときまでに前記販売業者に対して決済が行われていない、前記消費者により購入された商品の代金である
請求項１に記載の決済処理システム。
【請求項３】
前記販売決済装置は、
前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段
をさらに備え、
前記管理装置は、
前記請求金額が請求されない場合、前記購入金額を前記販売業者に出金する処理を行い、前記請求金額が請求された場合、前記請求金額を前記決済業者に出金する処理と、前記購入金額から前記請求金額を減算した金額を、前記販売業者に出金する処理とを行う出金処理手段
をさらに備える
請求項２に記載の決済処理システム。
【請求項４】
前記消費者により、前記消費者のクレジットカードを用いて購入された商品の代金を決済する消費者決済処理を行う消費者決済装置
をさらに備え、
前記管理装置は、
前記購入情報を前記消費者決済装置に送信する第２の購入情報送信手段
をさらに備え、
前記消費者決済装置は、
前記管理装置から送信されてくる前記購入情報を受信する第２の購入情報受信手段と、
前記購入情報に基づいて、前記消費者決済処理を行う処理手段と
を備える
請求項１に記載の決済処理システム。
【請求項５】
消費者に販売する商品の受注を管理する管理装置において、
前記商品を受注する受注装置から、受注された商品に関する情報である受注情報を受信する受注情報受信手段と、
前記消費者が購入した商品の代金の支払に用いられる前記消費者のクレジットカードに対する処理を行う端末装置から、前記消費者により購入された商品に関する情報である購入情報を受信する購入情報受信手段と、
前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信する金額送信手段と、
前記販売決済装置から送信されてくる、前記販売業者に対して与信するかどうかを表す与信情報に基づいて、前記受注の許可を表す許可情報を前記受注装置に送信する許可情報送信手段と
を備える管理装置。
【請求項６】
前記購入金額は、前記受注が行われたときまでに前記販売業者に対して決済が行われていない、前記消費者により購入された商品の代金である
請求項５に記載の管理装置。
【請求項７】
前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う前記販売決済装置により、前記購入金額以内の前記受注金額が請求金額として請求されない場合、前記購入金額を前記販売業者に出金する処理を行い、前記請求金額が請求された場合、前記請求金額を前記販売決済装置を管理する決済業者に出金する処理と、前記購入金額から前記精算金額を減算した金額を、前記販売業者に出金する処理とを行う出金処理手段
をさらに備える
請求項６に記載の管理装置。
【請求項８】
消費者に販売する商品の受注を管理する管理装置の管理方法において、
前記商品を受注する受注装置から、受注された商品に関する情報である受注情報を受信し、
前記消費者が購入した商品の代金の支払に用いられる前記消費者のクレジットカードに対する処理を行う端末装置から、前記消費者により購入された商品に関する情報である購入情報を受信し、
前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信し、
前記販売決済装置から送信されてくる、前記販売業者に対して与信するかどうかを表す与信情報に基づいて、前記受注の許可を表す許可情報を前記受注装置に送信する
ステップを含む管理方法。
【請求項９】
消費者に販売する商品の受注を管理する管理処理を、コンピュータに行わせるプログラムにおいて、
前記商品を受注する受注装置から、受注された商品に関する情報である受注情報を受信し、
前記消費者が購入した商品の代金の支払に用いられる前記消費者のクレジットカードに対する処理を行う端末装置から、前記消費者により購入された商品に関する情報である購入情報を受信し、
前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信し、
前記販売決済装置から送信されてくる、前記販売業者に対して与信するかどうかを表す与信情報に基づいて、前記受注の許可を表す許可情報を前記受注装置に送信する
ステップを含む管理処理をコンピュータに行わせるプログラム。
【請求項１０】
消費者に商品を販売する販売業者により、前記販売業者のクレジットカードを用いて発注された商品の代金を決済する決済処理を行う決済装置において、
前記販売業者により発注された商品の受注を管理する管理装置から送信されてくる、受注された商品の代金である受注金額と、前記消費者により購入された商品の代金である購入金額とを受信する金額受信手段と、
前記受注金額と前記購入金額に基づいて、前記販売業者に対して与信するかどうかを判定する判定手段と、
判定の結果を表す与信情報を前記管理装置に送信する与信情報送信手段と
を備える決済装置。
【請求項１１】
前記判定手段は、前記受注金額から前記購入金額を減算した結果得られる減算金額が、予め設定された所定の金額以下である場合、前記販売業者に対して与信すると判定し、前記減算金額が前記所定の金額より大きい場合、前記販売業者に対して与信しないと判定する
請求項１０に記載の決済装置。
【請求項１２】
前記購入金額は、前記受注が行われたときまでに前記販売業者に対して決済が行われていない、前記消費者により購入された商品の代金である
請求項１０に記載の決済装置。
【請求項１３】
前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段
をさらに備える
請求項１２に記載の決済装置。
【請求項１４】
消費者に商品を販売する販売業者により、前記販売業者のクレジットカードを用いて発注された商品の代金を決済する決済処理を行う決済装置の決済方法において、
前記販売業者により発注された商品の受注を管理する管理装置から送信されてくる、受注された商品の代金である受注金額と、前記消費者により購入された商品の代金である購入金額とを受信し、
前記受注金額と前記購入金額に基づいて、前記販売業者に対して与信するかどうかを判定し、
判定の結果を表す与信情報を前記管理装置に送信する
ステップを含む決済方法。
【請求項１５】
消費者に商品を販売する販売業者により、前記販売業者のクレジットカードを用いて発注された商品の代金を決済する決済処理を、コンピュータに行わせるプログラムにおいて、
前記販売業者により発注された商品の受注を管理する管理装置から送信されてくる、受注された商品の代金である受注金額と、前記消費者により購入された商品の代金である購入金額とを受信し、
前記受注金額と前記購入金額に基づいて、前記販売業者に対して与信するかどうかを判定し、
判定の結果を表す与信情報を前記管理装置に送信する
ステップを含む決済処理をコンピュータに行わせるプログラム
【発明の詳細な説明】
【技術分野】
【０００１】
本発明は、決済処理システム、管理装置および管理方法、決済装置および決済方法、並びにプログラムに関し、特に、卸問屋のような業者がクレジットカードで安全に決済することができるようにした決済処理システム、管理装置および管理方法、決済装置および決済方法、並びにプログラムに関する。
【背景技術】
【０００２】
例えば、消費者が小売店から購入する野菜などの生鮮品は、農業協同組合、中央卸売市場、および卸問屋を介して、農家から小売店に提供される。
【０００３】
具体的には、農業共同組合は、多くの農家から生鮮品を購入し、その生鮮品の代金を農家に支払う。農業協同組合は、農家から購入した生鮮品を中央卸売市場に販売し、中央卸売市場は、購入した生鮮品の代金を農業協同組合に支払う。
【０００４】
また、小売店は、卸問屋に生鮮品を発注し、卸問屋は、発注された生鮮品を受注し、受注した生鮮品を中央卸売市場から仕入れる。なお、小売店は、発注した生鮮品の代金を、月末締めで翌月末に支払う。従って、小売店は、平均して発注日から約45日後に代金を卸問屋に支払う。
【０００５】
これに対して、卸問屋は、一般的に、生鮮品の仕入れから3日後に、その生鮮品の代金を中央卸売市場に支払う必要があるため、卸問屋は、平均して42(=45-3)日間、受注した生鮮品の代金を立て替えることになる。従って、卸問屋は、新たに小売店から高額の注文を受けた場合であっても、立て替えのための資金繰りがつかないと、その注文を拒絶せざるを得ない。その結果、卸問屋は、資金的に充分な余裕がない限り、取引規模を拡大したり、大口の注文を受けることができなかった。
【０００６】
一方、従来、現金の持ち合わせがなくても、商品を購入することができるシステムとして、例えばクレジットカードのシステムがある。このクレジットカードは、現金に代わる決済手段の１つであり、後払いで商品の購入ができるようになっている（例えば、特許文献１参照）。
【０００７】
図１を参照して、消費者がクレジットカードを用いて商品を購入する場合の、市場の商品と代金の流れについて説明する。
【０００８】
図１の卸問屋１２−１は、小売店１３−１と小売店１３−２から発注された生鮮品などの商品を受注し、中央卸売市場１１−２から仕入れる。そして、卸問屋１２−１は、商品の仕入れから３日後に、仕入れた商品の代金を中央卸売市場１１−２に支払う。卸問屋１２−２は、小売店１３−３から発注された商品を受注し、その商品を中央卸売市場１１−１から仕入れて、仕入れた商品の代金を中央卸売市場１１−１に支払う。
【０００９】
卸問屋１２−３は、小売店１３−４と小売店１３−５から発注された商品を受注し、その商品を中央卸売市場１１−３から仕入れて、仕入れた商品の代金を中央卸売市場１１−３に支払う。
【００１０】
小売店１３−１と小売店１３−２は、発注した商品を卸問屋１２−１から購入し、その商品の代金を卸問屋１２−１に支払う。小売店１３−３は、発注した商品を卸問屋１２−２から購入し、その商品の代金を卸問屋１２−２に支払う。小売店１３−４と小売店１３−５は、発注した商品を卸問屋１２−３から購入し、その商品の代金を卸問屋１２−３に支払う。
【００１１】
なお、小売店１３−１乃至１３−５は、消費者１４−１乃至１４−５が所持する複数のクレジットカードのカード会社１５−１乃至１５−ｎのそれぞれと加盟店契約を締結している。
【００１２】
また、以下においては、カード会社１５−１乃至１５−ｎを個々に区別する必要がない場合、単にカード会社１５と記述する。中央卸売市場１１、卸問屋１２、小売店１３、消費者１４等についても同様とする。
【００１３】
消費者１４は、カード会社１５のうちの所定のカード会社と個別にクレジットカードの会員契約を締結し、そのカード会社１５が発行するクレジットカードを所持している。消費者１４−１は、カード会社１５が発行するクレジットカードを用いて小売店１３−２から商品を購入し、消費者１４−２は、カード会社１５が発行するクレジットカードを用いて小売店１３−３から商品を購入する。消費者１４−３乃至１４−５は、カード会社１５が発行するクレジットカードを用いて、それぞれ、小売店１３−１、小売店１３−５、小売店１３−４から商品を購入する。
【００１４】
なお、このとき、小売店１３は、消費者１４によりクレジットカードを用いて購入された商品の代金（以下、購入金額という）等の商品購入データを、対応するカード会社１５に送信する。カード会社１５は、購入金額に基づいて、商品を購入する消費者１４に対して与信するかどうかを判断し、その判断結果を表す情報である消費者与信情報を、小売店１３に送信する。消費者与信情報が与信することを表す場合、小売店１３は、その消費者１４に商品を渡し、これにより、消費者１４は購入を完了する。
【００１５】
消費者１４による購入が完了すると、小売店１３は、購入金額を、対応するカード会社１５に請求し、その購入金額を、そのカード会社１５から回収する。
【００１６】
カード会社１５は、小売店１３から請求された購入金額を小売店１３に支払う。カード会社１５は、購入金額を、その消費者１４に請求し、その購入金額を消費者１４から回収する。
【００１７】
また、小売店１３が、クレジットカードを用いて発注した商品を購入することも考えられる。この場合、図２に示すように、卸問屋１２は、小売店１３が所持する複数のクレジットカードのカード会社２１−１乃至２１−ｎと、加盟店契約を締結している。
【００１８】
なお、以下においては、カード会社２１−１乃至２１−ｎを個々に区別する必要がない場合、単にカード会社２１と記述する。
【００１９】
小売店１３は、カード会社２１−１乃至２１−ｎのうちの所定のカード会社と個別にクレジットカードの会員契約を締結し、そのカード会社が発行したクレジットカードを所持している。小売店１３は、カード会社２１が発行するクレジットカードを用いて、発注した商品を卸問屋１２から購入する。
【００２０】
このとき、卸問屋１２は、小売店１３から受注し、小売店１３によりクレジットカードを用いて購入された商品の代金（以下、受注金額という）をカード会社２１に請求し、その受注金額をカード会社２１から回収する。
【００２１】
カード会社２１は、卸問屋１２から請求された受注金額を卸問屋１２に支払う。カード会社２１は、その請求された受注金額を発注金額として小売店１３に請求し、その発注金額を小売店１３から回収する。
【００２２】
図２に示したように、小売店１３が、クレジットカードを用いて発注した商品を購入する場合、卸問屋１２は、カード会社２１から受注金額を受け取ることができるため、受注金額を長期間立て替える必要がなくなる。
【特許文献１】特開２００３−２１６８７４号公報
【発明の開示】
【発明が解決しようとする課題】
【００２３】
しかしながら、カード会社２１は、卸問屋１２が小売店１３から受注した商品の受注金額について、その額が個人の消費者の額に比べて高額になるにも拘らず、小売店１３に対して与信するかどうかを判定するための充分な情報を有していないため、安全に与信をすることが困難である。そこで多くのカード会社は小売店１３と会員契約を締結したがらす、その結果、多くの卸問屋はクレジットカードで決済することはできなかった。
【００２４】
本発明は、このような状況に鑑みてなされたものであり、卸問屋のような業者がクレジットカードで安全に決済することができるようにするものである。
【課題を解決するための手段】
【００２５】
本発明の第１の側面の決済処理システムは、消費者に販売する商品を発注する発注装置、前記商品を受注する受注装置、前記受注を管理する管理装置、前記消費者が購入する商品の代金の支払に用いられる前記消費者のクレジットカードに対する処理を行う端末装置、および、前記消費者に前記商品を販売する販売業者により、前記販売業者のクレジットカードを用いて発注された商品の代金を決済する販売決済処理を行う販売決済装置を備える決済処理システムにおいて、前記発注装置は、発注する前記商品に関する情報である発注情報を、前記受注装置に送信する発注手段を備え、前記受注装置は、前記発注手段により送信されてくる前記発注情報を受信し、その発注情報に対応する受注情報を前記管理装置に送信する受注情報送信手段と、前記管理装置から送信されてくる、前記受注の許可を表す許可情報に応じて、前記受注情報に対応する商品の受注に関する処理である受注処理を行う受注処理手段とを備え、前記管理装置は、前記受注装置から前記受注情報を受信する受注情報受信手段と、前記端末装置から、前記消費者により購入された商品に関する情報である購入情報を受信する第１の購入情報受信手段と、前記受注情報に含まれる受注された商品の代金である受注金額と、前記購入情報に含まれる前記消費者により購入された商品の代金である購入金額とを、前記販売決済装置に送信する金額送信手段と、前記販売決済装置から送信されてくる、前記販売業者に対して与信するかどうかを表す与信情報を受信する与信情報受信手段と、前記与信情報に基づいて、前記許可情報を前記受注装置に送信する許可情報送信手段とを備え、前記端末装置は、前記購入情報を取得する取得手段と、取得された前記購入情報を送信する第１の購入情報送信手段とを備え、前記販売決済装置は、前記管理装置から送信されてくる前記受注金額と前記購入金額を受信する金額受信手段と、前記受注金額と前記購入金額に基づいて、前記販売業者に対して与信するかどうかを判定する判定手段と、判定の結果を表す前記与信情報を前記管理装置に送信する与信情報送信手段とを備える。
【００２６】
本発明の第１の側面の決済処理システムにおいては、前記購入金額は、前記受注が行われたときまでに前記販売業者に対して決済が行われていない、前記消費者により購入された商品の代金であるようにすることができる。
【００２７】
本発明の第１の側面の決済処理システムにおいては、前記販売決済装置は、前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段をさらに設け、前記管理装置は、前記請求金額が請求されない場合、前記購入金額を前記販売業者に出金する処理を行い、前記請求金額が請求された場合、前記請求金額を前記決済業者に出金する処理と、前記購入金額から前記請求金額を減算した金額を、前記販売業者に出金する処理とを行う出金処理手段をさらに設けることができる。
【００２８】
本発明の第１の側面の決済処理システムは、前記消費者により、前記消費者のクレジットカードを用いて購入された商品の代金を決済する消費者決済処理を行う消費者決済装置をさらに設け、前記管理装置は、前記購入情報を前記消費者決済装置に送信する第２の購入情報送信手段をさらに設け、前記消費者決済装置は、前記管理装置から送信されてくる前記購入情報を受信する第２の購入情報受信手段と、前記購入情報に基づいて、前記消費者決済処理を行う処理手段とを設けることができる。
【００２９】
本発明の第２の側面の管理装置は、消費者に販売する商品の受注を管理する管理装置において、前記商品を受注する受注装置から、受注された商品に関する情報である受注情報を受信する受注情報受信手段と、前記消費者が購入した商品の代金の支払に用いられる前記消費者のクレジットカードに対する処理を行う端末装置から、前記消費者により購入された商品に関する情報である購入情報を受信する購入情報受信手段と、前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信する金額送信手段と、前記販売決済装置から送信されてくる、前記販売業者に対して与信するかどうかを表す与信情報に基づいて、前記受注の許可を表す許可情報を前記受注装置に送信する許可情報送信手段とを備える。
【００３０】
本発明の第２の側面の管理装置においては、前記購入金額は、前記受注が行われたときまでに前記販売業者に対して決済が行われていない、前記消費者により購入された商品の代金であるようにすることができる。
【００３１】
本発明の第２の側面の管理装置は、前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う前記販売決済装置により、前記購入金額以内の前記受注金額が請求金額として請求されない場合、前記購入金額を前記販売業者に出金する処理を行い、前記請求金額が請求された場合、前記請求金額を前記販売決済装置を管理する決済業者に出金する処理と、前記購入金額から前記精算金額を減算した金額を、前記販売業者に出金する処理とを行う出金処理手段をさらに設けることができる。
【００３２】
本発明の第２の側面の管理方法は、消費者に販売する商品の受注を管理する管理装置の管理方法において、前記商品を受注する受注装置から、受注された商品に関する情報である受注情報を受信し、前記消費者が購入した商品の代金の支払に用いられる前記消費者のクレジットカードに対する処理を行う端末装置から、前記消費者により購入された商品に関する情報である購入情報を受信し、前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信し、前記販売決済装置から送信されてくる、前記販売業者に対して与信するかどうかを表す与信情報に基づいて、前記受注の許可を表す許可情報を前記受注装置に送信するステップを含む。
【００３３】
本発明の第２の側面のプログラムは、消費者に販売する商品の受注を管理する管理処理を、コンピュータに行わせるプログラムにおいて、前記商品を受注する受注装置から、受注された商品に関する情報である受注情報を受信し、前記消費者が購入した商品の代金の支払に用いられる前記消費者のクレジットカードに対する処理を行う端末装置から、前記消費者により購入された商品に関する情報である購入情報を受信し、前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカードを用いて発注された商品の代金を決済する販売決済処理を行う販売決済装置に送信し、前記販売決済装置から送信されてくる、前記販売業者に対して与信するかどうかを表す与信情報に基づいて、前記受注の許可を表す許可情報を前記受注装置に送信するステップを含む管理処理をコンピュータに行わせる。
【００３４】
本発明の第３の側面の決済装置は、消費者に商品を販売する販売業者により、前記販売業者のクレジットカードを用いて発注された商品の代金を決済する決済処理を行う決済装置において、前記販売業者により発注された商品の受注を管理する管理装置から送信されてくる、受注された商品の代金である受注金額と、前記消費者により購入された商品の代金である購入金額とを受信する金額受信手段と、前記受注金額と前記購入金額に基づいて、前記販売業者に対して与信するかどうかを判定する判定手段と、判定の結果を表す与信情報を前記管理装置に送信する与信情報送信手段とを備える。
【００３５】
本発明の第３の側面の決済装置においては、前記判定手段は、前記受注金額から前記購入金額を減算した結果得られる減算金額が、予め設定された所定の金額以下である場合、前記販売業者に対して与信すると判定し、前記減算金額が前記所定の金額より大きい場合、前記販売業者に対して与信しないと判定することができる。
【００３６】
本発明の第３の側面の決済装置においては、前記購入金額は、前記受注が行われたときまでに前記販売業者に対して決済が行われていない、前記消費者により購入された商品の代金であるようにすることができる。
【００３７】
本発明の第３の側面の決済装置は、前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段をさらに設けることができる。
【００３８】
本発明の第３の側面の決済方法は、消費者に商品を販売する販売業者により、前記販売業者のクレジットカードを用いて発注された商品の代金を決済する決済処理を行う決済装置の決済方法において、前記販売業者により発注された商品の受注を管理する管理装置から送信されてくる、受注された商品の代金である受注金額と、前記消費者により購入された商品の代金である購入金額とを受信し、前記受注金額と前記購入金額に基づいて、前記販売業者に対して与信するかどうかを判定し、判定の結果を表す与信情報を前記管理装置に送信するステップを含む。
【００３９】
本発明の第３の側面のプログラムは、消費者に商品を販売する販売業者により、前記販売業者のクレジットカードを用いて発注された商品の代金を決済する決済処理を、コンピュータに行わせるプログラムにおいて、前記販売業者により発注された商品の受注を管理する管理装置から送信されてくる、受注された商品の代金である受注金額と、前記消費者により購入された商品の代金である購入金額とを受信し、前記受注金額と前記購入金額に基づいて、前記販売業者に対して与信するかどうかを判定し、判定の結果を表す与信情報を前記管理装置に送信するステップを含む決済処理をコンピュータに行わせる。
【００４０】
本発明の第１の側面においては、消費者に販売する商品を発注する発注装置が、発注する商品に関する情報である発注情報を、商品を受注する受注装置に送信し、受注装置が、発注装置により送信されてくる発注情報を受信し、その発注情報に対応する受注情報を、受注を管理する管理装置に送信し、管理装置から送信されてくる、受注の許可を表す許可情報に応じて、受注情報に対応する商品の受注に関する処理である受注処理を行う。また、管理装置が、受注装置から受注情報を受信し、消費者が購入する商品の代金の支払に用いられる消費者のクレジットカードに対する処理を行う端末装置から、消費者により購入された商品に関する情報である購入情報を受信し、受注情報に含まれる受注された商品の代金である受注金額と、購入情報に含まれる消費者により購入された商品の代金である購入金額とを、消費者に商品を販売する販売業者により、販売業者のクレジットカードを用いて発注された商品の代金を決済する販売決済処理を行う販売決済装置に送信し、販売決済装置から送信されてくる、販売業者に対して与信するかどうかを表す与信情報を受信し、与信情報に基づいて、許可情報を受注装置に送信する。さらに、端末装置が、購入情報を取得し、取得された購入情報を送信し、販売決済装置が、管理装置から送信されてくる受注金額と購入金額を受信し、受注金額と購入金額に基づいて、販売業者に対して与信するかどうかを判定し、判定の結果を表す与信情報を管理装置に送信する。
【００４１】
本発明の第２の側面においては、消費者に販売する商品を受注する受注装置から、受注された商品に関する情報である受注情報が受信され、消費者が購入した商品の代金の支払に用いられる消費者のクレジットカードに対する処理を行う端末装置から、消費者により購入された商品に関する情報である購入情報が受信され、受注情報に含まれる受注された商品の代金である受注金額と、購入情報に含まれる消費者により購入された商品の代金である購入金額とが、消費者に商品を販売する販売業者により、販売業者のクレジットカードを用いて発注された商品の代金を決済する販売決済処理を行う販売決済装置に送信され、販売決済装置から送信されてくる、販売業者に対して与信するかどうかを表す与信情報に基づいて、受注の許可を表す許可情報が受注装置に送信される。
【００４２】
本発明の第３の側面においては、消費者に商品を販売する販売業者により発注された商品の受注を管理する管理装置から送信されてくる、受注された商品の代金である受注金額と、消費者により購入された商品の代金である購入金額とが受信され、受注金額と購入金額に基づいて、販売業者に対して与信するかどうかが判定され、判定の結果を表す与信情報が管理装置に送信される。
【発明の効果】
【００４３】
以上のように、本発明の第１の側面によれば、販売業者がクレジットカードを用いて発注した商品の代金を、安全に決済することができるシステムを実現することができる。
【００４４】
本発明の第２の側面によれば、販売業者のクレジットカードによる商品の受注を安全に管理することができる。
【００４５】
本発明の第３の側面によれば、販売業者によるクレジットカードの使用に対して、安全に与信の判定を行うことができる。
【発明を実施するための最良の形態】
【００４６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４７】
本発明の第１の側面の決済処理システムにおいては、消費者（例えば、図４の消費者１４）に販売する商品を発注する発注装置（例えば、図４の発注装置７３）、前記商品を受注する受注装置（例えば、図４の受注装置８１）、前記受注を管理する管理装置（例えば、図４の管理サーバ９１）、前記消費者が購入する商品の代金の支払に用いられる前記消費者のクレジットカード（例えば、図４のカード６１）に対する処理を行う端末装置（例えば、図４の端末装置７１）、および、前記消費者に前記商品を販売する販売業者により、前記販売業者のクレジットカード（例えば、図４のカード７２）を用いて発注された商品の代金を決済する販売決済処理を行う販売決済装置（例えば、図４の決済サーバ１１１）を備える決済処理システム（例えば、図４の決済処理システム４１）において、前記発注装置は、発注する前記商品に関する情報である発注情報を、前記受注装置に送信する発注手段（例えば、図８の発注処理部２３２）を備え、前記受注装置は、前記発注手段により送信されてくる前記発注情報を受信し、その発注情報に対応する受注情報を前記管理装置に送信する受注情報送信手段（例えば、図９の送信部２３５）と、前記管理装置から送信されてくる、前記受注の許可を表す許可情報に応じて、前記受注情報に対応する商品の受注に関する処理である受注処理を行う受注処理手段（例えば、図９の受注処理部２３６）とを備え、前記管理装置は、前記受注装置から前記受注情報を受信する受注情報受信手段（例えば、図１０の受注情報受信部２４３）と、前記端末装置から、前記消費者により購入された商品に関する情報である購入情報を受信する第１の購入情報受信手段（例えば、図１０の購入情報受信部２４１）と、前記受注情報に含まれる受注された商品の代金である受注金額と、前記購入情報に含まれる前記消費者により購入された商品の代金である購入金額とを、前記販売決済装置に送信する金額送信手段（例えば、図１０の金額送信部２４５）と、前記販売決済装置から送信されてくる、前記販売業者に対して与信するかどうかを表す与信情報を受信する与信情報受信手段（例えば、図１０の与信受信部２４６）と、前記与信情報に基づいて、前記許可情報を前記受注装置に送信する許可情報送信手段（例えば、図１０の通知部２４７）とを備え、前記端末装置は、前記購入情報を取得する取得手段（例えば、図７の取得部２２１）と、取得された前記購入情報を送信する第１の購入情報送信手段（例えば、図７の送信部２２２）とを備え、前記販売決済装置は、前記管理装置から送信されてくる前記受注金額と前記購入金額を受信する金額受信手段（例えば、図１２の受信部２６１）と、前記受注金額と前記購入金額に基づいて、前記販売業者に対して与信するかどうかを判定する判定手段（例えば、図１２の与信部２６２）と、判定の結果を表す前記与信情報を前記管理装置に送信する与信情報送信手段（例えば、図１２の送信部２６３）とを備える。
【００４８】
本発明の第１の側面の決済処理システムにおいては、前記販売決済装置は、前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段（例えば、図１２の処理部２６４）をさらに備え、前記管理装置は、前記請求金額が請求されない場合、前記購入金額を前記販売業者に出金する処理を行い、前記請求金額が請求された場合、前記請求金額を前記決済業者に出金する処理と、前記購入金額から前記請求金額を減算した金額を、前記販売業者に出金する処理とを行う出金処理手段（例えば、図１０の処理部２４８）をさらに備える。
【００４９】
本発明の第１の側面の決済処理システムは、前記消費者により、前記消費者のクレジットカードを用いて購入された商品の代金を決済する消費者決済処理を行う消費者決済装置（例えば、図４の決済サーバ１０１）をさらに備え、前記管理装置は、前記購入情報を前記消費者決済装置に送信する第２の購入情報送信手段（例えば、図１０の購入情報送信部２４２）をさらに備え、前記消費者決済装置は、前記管理装置から送信されてくる前記購入情報を受信する第２の購入情報受信手段（例えば、図１１の受信部２５１）と、前記購入情報に基づいて、前記消費者決済処理を行う処理手段（例えば、図１１の処理部２５４）と備える。
【００５０】
本発明の第２の側面の管理装置は、消費者（例えば、図４の消費者１４）に販売する商品の受注を管理する管理装置（例えば、図４の管理サーバ９１）において、前記商品を受注する受注装置から、受注された商品に関する情報である受注情報を受信する受注情報受信手段（例えば、図１０の受信情報受信部２４３）と、前記消費者が購入した商品の代金の支払に用いられる前記消費者のクレジットカード（例えば、図４のカード６１）に対する処理を行う端末装置（例えば、図４の端末装置７１）から、前記消費者により購入された商品に関する情報である購入情報を受信する購入情報受信手段（例えば、図１０の購入情報受信部２４１）と、前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカード（例えば、図４のカード７２）を用いて発注された商品の代金を決済する販売決済処理を行う販売決済装置（例えば、図４の決済サーバ１１１）に送信する金額送信手段（例えば、図１０の金額送信部２４５）と、前記販売決済装置から送信されてくる、前記販売業者に対して与信するかどうかを表す与信情報に基づいて、前記受注の許可を表す許可情報を前記受注装置に送信する許可情報送信手段（例えば、図１０の通知部２４７）とを備える。
【００５１】
本発明の第２の管理装置は、前記販売決済装置を管理する決済業者が、前記販売業者から前記受注金額を回収することができない場合、前記購入金額以内の前記受注金額を請求金額として前記管理装置を管理する管理業者に請求し、その請求に応じて入金される請求金額に対する処理を行う前記販売決済装置により、前記購入金額以内の前記受注金額が請求金額として請求されない場合、前記購入金額を前記販売業者に出金する処理を行い、前記請求金額が請求された場合、前記請求金額を前記販売決済装置を管理する決済業者に出金する処理と、前記購入金額から前記精算金額を減算した金額を、前記販売業者に出金する処理とを行う出金処理手段（例えば、図１０の処理部２４８）をさらに備える。
【００５２】
本発明の第２の側面の管理方法は、消費者（例えば、図４の消費者１４）に販売する商品の受注を管理する管理装置（例えば、図４の管理サーバ９１）の管理方法において、前記商品を受注する受注装置（例えば、図４の受注装置８１）から、受注された商品に関する情報である受注情報を受信し（例えば、図１８のステップＳ７１）、前記消費者が購入した商品の代金の支払に用いられる前記消費者のクレジットカード（例えば、図４のカード６１）に対する処理を行う端末装置（例えば、図４の端末装置７１）から、前記消費者により購入された商品に関する情報である購入情報を受信し（例えば、図１６のステップＳ２１）、前記受注情報に含まれる受注された商品の代金である受注金額と、前記購入情報に含まれる前記消費者により購入された商品の代金である購入金額とを、前記消費者に前記商品を販売する販売業者により、前記販売業者のクレジットカード（例えば、図４のカード７２）を用いて発注された商品の代金を決済する販売決済処理を行う販売決済装置（例えば、図４の決済サーバ１１１）に送信し（例えば、図１８のステップＳ７２）、前記販売決済装置から送信されてくる、前記販売業者に対して与信するかどうかを表す与信情報に基づいて、前記受注の許可を表す許可情報を前記受注装置に送信する（例えば、図１８のステップＳ７５）ステップを含む。
【００５３】
本発明の第３の側面の決済装置は、消費者（例えば、図４の消費者１４）に商品を販売する販売業者により、前記販売業者のクレジットカードを用いて発注された商品の代金を決済する決済処理を行う決済装置（例えば、図４の決済サーバ１１１）において、前記販売業者により発注された商品の受注を管理する管理装置（例えば、図４の管理サーバ９１）から送信されてくる、受注された商品の代金である受注金額と、前記消費者により購入された商品の代金である購入金額とを受信する金額受信手段（例えば、図１２の受信部２６１）と、前記受注金額と前記購入金額に基づいて、前記販売業者に対して与信するかどうかを判定する判定手段（例えば、図１２の与信部２６２）と、判定の結果を表す与信情報を前記管理装置に送信する与信情報送信手段（例えば、図１２の送信部２６３）とを備える。
【００５４】
本発明の第３の側面の決済装置は、前記販売業者から前記受注金額を回収することができない場合、前記購入金額以内の前記受注金額を請求金額として前記管理装置を管理する管理業者に請求し、その請求に応じて入金される請求金額に対する処理を行う入金処理手段（例えば、図１２の処理部２６４）をさらに備える。
【００５５】
本発明の第３の側面の決済方法は、消費者（例えば、図４の消費者１４）に商品を販売する販売業者により、前記販売業者のクレジットカードを用いて発注された商品の代金を決済する決済処理を行う決済装置（例えば、図４の決済サーバ１１１）の決済方法において、前記販売業者により発注された商品の受注を管理する管理装置（例えば、図４の管理サーバ９１）から送信されてくる、受注された商品の代金である受注金額と、前記消費者により購入された商品の代金である購入金額とを受信し（例えば、図１８のステップＳ８１）、前記受注金額と前記購入金額に基づいて、前記販売業者に対して与信するかどうかを判定し（例えば、図１８のステップＳ８２）、判定の結果を表す与信情報を前記管理装置に送信する（例えば、図１８のステップＳ８３）ステップを含む。
【００５６】
以下、本発明を適用した具体的な実施の形態について、図面を参照しながら詳細に説明する。
【００５７】
図３は、本発明を適用した決済処理システム４１の一実施の形態の構成について説明する図である。なお、図１や図２と同一のものには同一の符号を付してあり、説明は繰り返しになるので適宜省略する。
【００５８】
なお、以下においては、卸問屋５１−１乃至５１−３を個々に区別する必要がない場合、単に卸問屋５１と記述する。小売店５２−１乃至５２−５についても同様とする。
【００５９】
図３の決済処理システム４１において、消費者１４はカード会社１５と会員契約を締結し、カード会社１５が発行するクレジットカードを保持する。小売店５２は、カード会社５４と会員契約を締結し、カード会社５４が発行するクレジットカードを保持する。小売店５２は包括加盟店５３と個別加盟店契約を締結し、卸問屋５１は包括加盟店５３と個別加盟店契約を締結する。カード会社１５とカード会社５４は、包括加盟店５３と包括加盟店契約を締結する。
【００６０】
小売店５２−１乃至５２−５は、包括加盟店５３と個別加盟店契約を締結することにより、包括加盟店５３が包括加盟店契約を締結している複数のカード会社１５−１乃至１５−ｎのすべての加盟店となることができるので、複数のカード会社１５−１乃至１５−ｎと個別に加盟店契約を締結する必要がなくなる。
【００６１】
小売店５２−１乃至５２−５は、消費者１４−１乃至１４−５がカード会社１５−１乃至１５−ｎのクレジットカードを使用して支払いを行った場合、その分を包括加盟店５３に請求する。包括加盟店５３はこの請求に対応する支払いを行う。包括加盟店５３は、小売店５２−１乃至５２−５に対する支払分に対応する額を、カード会社１５−１乃至１５−ｎに請求する。包括加盟店５３は、カード会社１５−１乃至１５−ｎに対する請求額と、小売店５２−１乃至５２−５に対する支払額の差額を利益とする。
【００６２】
カード会社１５−１乃至１５−ｎは、包括加盟店５３からの請求に対応する支払いを行い、包括加盟店５３に支払った分に対応する額を、消費者１４−１乃至１４−５から回収する。カード会社１５−１乃至１５−ｎは、消費者１４−１乃至１４−５からの回収額と、包括加盟店５３に対する支払額の差額を利益とする。
【００６３】
なお、以下においては、説明を簡単にするために、利益についての説明は省略する。
【００６４】
図３の実施の形態の場合、卸問屋５１−１は、小売店５２−１と小売店５２−２から発注された商品を受注し、中央卸売市場１１−２から仕入れる。そして、卸問屋５１−１は、受注した商品の仕入日から３日後に、その商品の代金を中央卸売市場１１−２に支払う。卸問屋５１−２は、小売店５２−３から発注された商品を受注し、その商品を中央卸売市場１１−１から仕入れて、仕入日から３日後に、仕入れた商品の代金を中央卸売市場１１−１に支払う。
【００６５】
卸問屋５１−３は、小売店５２−４と小売店５２−５から発注された商品を受注し、その商品を中央卸売市場１１−３から仕入れて、仕入日から３日後に、仕入れた商品の代金を中央卸売市場１１−３に支払う。
【００６６】
小売店５２−１と小売店５２−２は、カード会社５４から発行されたクレジットカードを用いて、発注した商品を卸問屋５１−１から購入する。小売店５２−３は、カード会社５４から発行されたクレジットカードを用いて、発注した商品を卸問屋５１−２から購入する。小売店５２−４と小売店５２−５は、カード会社５４から発行されたクレジットカードを用いて、発注した商品を卸問屋５１−３から購入する。
【００６７】
このとき、卸問屋５１は、小売店５２から受注した商品の受注金額を包括加盟店５３に請求し、その受注金額を包括加盟店５３から回収する。
【００６８】
消費者１４が、カード会社１５が発行するクレジットカードを用いて小売店５２から商品を購入すると、小売店５２は、消費者１４により購入された商品の購入金額を包括加盟店５３に請求し、その購入金額を包括加盟店５３から回収する。
【００６９】
包括加盟店５３は、仕入日から3日後に、卸問屋５１から請求された受注金額を卸問屋５１に支払う。また、包括加盟店５３は、受注金額をカード会社５４に請求し、カード会社５４から受注金額を回収する。
【００７０】
さらに、包括加盟店５３は、小売店５２から請求された購入金額を所定の期間積算した結果得られる積算金額を、その所定の期間に発生した小売店５２が包括加盟店５３に対して有する債権の金額である債権金額（包括加盟店５３の小売店５２に対する債務金額）とする。そして、包括加盟店５３は、その債務金額を小売店５２に支払う。また、包括加盟店５３は、小売店５２に支払った債務金額をカード会社１５に請求し、カード会社１５から債務金額を回収する。
【００７１】
カード会社５４は、包括加盟店５３から金額情報を受信し、その金額情報に基づいて、小売店５２に対して与信するかどうかを判定する。また、カード会社５４は、包括加盟店５３から請求された受注金額を包括加盟店５３に支払う。また、カード会社５４は、受注金額を発注金額として小売店５２に請求し、その発注金額を小売店５２から回収する。
【００７２】
図４は、本発明を適用した決済処理システム４１の一実施の形態の構成例を示すブロック図である。
【００７３】
図４の消費者１４は、カード会社１５により発行されたクレジットカードであるカード６１を所持している。カード６１は、消費者１４が小売店５２から商品を購入するとき、後述する小売店５２が管理する端末装置７１に装着される。
【００７４】
小売店５２は、端末装置７１、カード７２、および発注装置７３を管理している。
【００７５】
端末装置７１は、カード６１が装着されたとき、カード６１に記憶されているカードに関する情報であるカード情報を取得する。なお、カード情報としては、カード番号、カード６１を発行したカード会社１５に関する情報、カード６１の有効期限などがある。
【００７６】
また、端末装置７１は、小売店５２の店員により入力される、消費者１４により購入される商品に関する情報である購入情報を取得する。なお、購入情報としては、購入金額、商品名などがある。端末装置７１は、カード情報と購入情報を、後述する包括加盟店５３が管理する管理サーバ９１に送信する。さらに、端末装置７１は、管理サーバ９１から送信されてくる、消費者１４に対して与信するかどうかを表す情報である消費者与信情報を受信する。
【００７７】
発注装置７３は、カード会社５４により発行されたクレジットカードであるカード７２が装着されたとき、そのカード７２に記憶されている、カード番号、カード７２を発行したカード会社５４に関する情報などのカード情報を取得する。また、発注装置７３は、ユーザの入力に応じて、発注する商品に関する情報である発注情報を取得する。なお、発注情報としては、発注する商品の名前や個数、発注金額などがある。発注装置７３は、カード情報と発注情報を、後述する卸問屋５１が管理する受注装置８１に送信する。さらに、発注装置７３は、受注装置８１から受注の拒否を表す受注エラー通知、または、受注の許可を表す受注許可通知を受信する。
【００７８】
卸問屋５１は、受注装置８１を管理する。
【００７９】
受注装置８１は、発注装置７３からカード情報と発注情報を受信し、その発注情報に対応する受注情報とカード情報を管理サーバ９１に送信する。また、受注装置８１は、管理サーバ９１から送信されてくる受注エラー通知を受信し、受注エラー通知を発注装置７３に送信する。また、受注装置８１は、管理サーバ９１から送信されてくる受注許可通知を受信し、発注装置７３に送信する。
【００８０】
さらに、受注装置８１は、受注許可通知に応じて、発注装置７３から受注した商品の受注に関する処理である受注処理を行い、包括加盟店５３から入金された受注金額の代金に対して、入金された代金を取得する入金処理を行う。受注装置８１により受注処理が行われると、卸問屋５１は、中央卸売市場１１から、受注した商品を仕入れ、３日後に商品の代金を支払う。
【００８１】
包括加盟店５３は、管理サーバ９１を管理する。
【００８２】
管理サーバ９１は、端末装置７１からカード情報と購入情報を受信し、そのカード情報と購入情報を、後述するカード会社１５の決済サーバ１０１に送信する。管理サーバ９１は、カード情報と購入情報に応じて決済サーバ１０１から送信されてくる、消費者与信情報を受信し、その消費者与信情報を端末装置７１に送信する。
【００８３】
また、管理サーバ９１は、カード会社１５から入金される購入金額の入金処理を行う。管理サーバ９１は、カード会社１５から入金される購入金額を所定の期間積算し、その結果得られる積算金額を小売店５２の債権金額（包括加盟店５３の債務金額）に設定する。
【００８４】
さらに、管理サーバ９１は、受注装置８１からカード情報と受注情報を受信する。管理サーバ９１は、カード情報を後述するカード会社５４が管理する決済サーバ１１１に送信し、債権金額と受注情報に含まれる受注金額を、金額情報として、金額情報とカード情報を決済サーバ１１１に送信する。管理サーバ９１は、金額情報とカード情報に応じて決済サーバ１１１から送信されてくる、小売店５２に対して与信するかどうかを表す小売店与信情報を受信し、その小売店与信情報に応じて、受注エラー通知または受注許可通知を、受注装置８１に送信する。
【００８５】
また、管理サーバ９１は、卸問屋５１に出金される受注金額の代金に対して、代金を出金する処理である出金処理を行う。管理サーバ９１は、カード会社５４からの受注金額の入金処理を行う。
【００８６】
カード会社１５は、決済サーバ１０１を管理する。
【００８７】
決済サーバ１０１は、管理サーバ９１からカード６１のカード情報と購入情報を受信し、そのカード情報と購入情報に基づいて、消費者１４に対して与信するかどうかを判定する。そして、決済サーバ１０１は、判定結果を表す消費者与信情報を管理サーバ９１に送信する。また、決済サーバ１０１は、包括加盟店５３への購入金額の出金処理を行い、消費者１４に対する購入金額の請求処理を行う。なお、請求処理とは、例えば、請求金額の請求書を送信する処理である。さらに、決済サーバ１０１は、請求に応じて消費者１４から入金される購入金額の入金処理を行う。
【００８８】
カード会社５４は、決済サーバ１１１を管理する。
【００８９】
決済サーバ１１１は、管理サーバ９１からカード７２のカード情報と金額情報を受信し、そのカード情報と金額情報に基づいて、小売店５２に対して与信するかどうかを判定する。そして、決済サーバ１１１は、判定の結果を表す小売与信情報を管理サーバ９１に送信する。決済サーバ１１１は、包括加盟店５３への受注金額の出金処理を行い、小売店５２に対して受注金額に対応する発注金額の請求処理を行う。また、決済サーバ１０１は、請求に応じて小売店５２から入金される発注金額の入金処理を行う。
【００９０】
図５は、図４の端末装置７１の構成例を示すブロック図である。
【００９１】
図５の端末装置７１は、ICカードI/F部１２１、入力部１２２、メモリ１２３、カードリーダ１２４、制御部１２５、ディスプレイ１２６、通信部１２７、およびプリンタ１２８により構成される。
【００９２】
ICカードI/F部１２１は、カード６１に設けられたICチップから各種の情報を読み出して制御部１２５に供給したり、制御部１２５から供給される各種の情報をICチップに書き込む。入力部１２２は、例えばバーコードリーダ、レジキー、テンキーなどからなる。入力部１２２は、例えば、小売店５２の店員が購入情報を入力するときに用いられる。入力部１２２は、入力された購入情報を制御部１２５に供給する。
【００９３】
メモリ１２３には、制御部１２５が実行するプログラムやデータなどが適宜記憶される。カードリーダ１２４は、カード６１が装着されたとき、カード６１に記憶されているカード情報を読み出し、制御部１２５に供給する。なお、カード情報がカード６１のICチップに記憶されている場合には、カード情報はICカードI/F部１２１により読み出される。
【００９４】
制御部１２５は、メモリ１２３に記憶されているプログラムを実行することにより、各種の処理を行う。例えば、制御部１２５は、カードリーダ１２４から供給されるカード情報と、入力部１２２から供給される購入情報を、通信部１２７に供給する。
【００９５】
また、制御部１２５は、入力部１２２から供給される購入情報をディスプレイ１２６に供給し、表示させる。さらに、制御部１２５は、通信部１２７から供給される消費者与信情報に応じて、購入の許可を表す許可メッセージ、または、購入の拒否を表すエラーメッセージの映像データを生成し、ディスプレイ１２６に供給することにより、許可メッセージまたはエラーメッセージをディスプレイ１２６に表示させる。また、制御部１２５は、消費者与信情報に応じて、購入情報、カード会社１５に関する情報などをプリンタ１２８に供給し、その情報を記述した領収書を印刷させる。
【００９６】
ディスプレイ１２６は、制御部１２５から供給される購入情報を表示する。また、ディスプレイ１２６は、制御部１２５から供給される映像データに基づいて、許可メッセージまたはエラーメッセージを表示する。
【００９７】
通信部１２７は、図示せぬインターネット、その他のネットワークを介して、管理サーバ９１と通信を行う。例えば、通信部１２７は、制御部１２５から供給されるカード情報と購入情報を、管理サーバ９１に送信する。また、通信部１２７は、管理サーバ９１から送信されてくる消費者与信情報を受信し、制御部１２５に供給する。プリンタ１２８は、制御部１２５から供給される購入情報、カード会社１５に関する情報などに基づいて、その情報を記述した領収書を印刷する。
【００９８】
図６は、図４の発注装置７３の構成例を示すブロック図である。
【００９９】
図６の発注装置７３において、CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０１００】
CPU２０１にはまた、バス２０４を介して入出力インターフェース２０５が接続されている。入出力インターフェース２０５には、装着されたカード７２からカード情報を読み出すカードリーダ、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１０１】
入出力インターフェース２０５に接続されている記憶部２０８は、例えばハードディスクからなり、CPU２０１が実行するプログラムや各種のデータを記憶する。なお、このプログラムは、通信部２０９により外部の装置から取得されるようにしてもよい。通信部２０９は、インターネットやローカルエリアネットワークなどのネットワークを介して、外部の装置と通信する。
【０１０２】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１０３】
なお、図４の受注装置８１、管理サーバ９１、並びに決済サーバ１０１および決済サーバ１１１は、図６の発注装置７３と同様に構成されるので、図示は省略する。但し、受注装置８１、管理サーバ９１、並びに決済サーバ１０１および決済サーバ１１１においては、必ずしも入力部２０６としてカードリーダが設けられる必要はない。
【０１０４】
図７は、端末装置７１の機能的構成例を示すブロック図である。
【０１０５】
図７の端末装置７１は、取得部２２１、送信部２２２、および受信部２２３により構成される。なお、取得部２２１は、例えば、図５のICカードI/F部１２１、入力部１２２、およびカードリーダ１２４に対応しており、送信部２２２と受信部２２３は、例えば、通信部１２７に対応している。また、図７において、各部は、必要に応じて相互に情報を授受することが可能とされている。このことは、後述する図８乃至図１２においても同様である。
【０１０６】
取得部２２１は、端末装置７１に装着されたカード６１に記憶されているカード情報を取得し、送信部２２２に供給する。また、取得部２２１は、小売店５２の店員により入力される購入情報を取得し、送信部２２２に供給する。
【０１０７】
送信部２２２は、取得部２２１から供給されるカード情報と購入情報を、管理サーバ９１に送信する。送信部２２２は、受信部２２３から供給される消費者与信情報に応じて、消費者１４が商品を購入したことを示す購入通知を、管理サーバ９１に送信する。受信部２２３は、管理サーバ９１から送信されてくる消費者与信情報を受信し、送信部２２２に供給する。
【０１０８】
図８は、発注装置７３の機能的構成例を示すブロック図である。
【０１０９】
図８の発注装置７３は、取得部２３１と発注処理部２３２により構成される。なお、取得部２３１は、例えば、図６の入力部２０６に対応しており、発注処理部２３２は、例えば、CPU２０１と通信部２０９に対応している。
【０１１０】
取得部２３１は、発注装置７３に装着されたカード７２に記憶されているカード情報を取得し、発注処理部２３２に供給する。また、取得部２３１は、小売店５２の店員により入力される発注情報を取得し、発注処理部２３２に供給する。
【０１１１】
発注処理部２３２は、取得部２３１から供給されるカード情報と発注情報を、受注装置８１に送信する。また、発注処理部２３２は、受注装置８１から受注エラー通知または受注許可通知を受信する。発注処理部２３２は、受注エラー通知に応じて、発注の拒否を示すエラーメッセージを出力部２０７に表示させ、受注許可通知に応じて、発注の許可を示す許可メッセージを出力部２０７に表示させる。
【０１１２】
図９は、受注装置８１の機能的構成例を示すブロック図である。
【０１１３】
図９の受注装置８１は、送信部２３５と受注処理部２３６により構成される。なお、送信部２３５は、例えば受注装置８１の通信部に対応し、受注処理部２３６は、例えば受注装置８１のCPUと通信部に対応する。
【０１１４】
送信部２３５は、発注装置７３の発注処理部２３２から送信されてくるカード情報と発注情報を受信し、発注情報に対応する受注情報を受注処理部２３６に供給する。また、送信部２３５は、カード情報とともに、発注情報に対応する受注情報を管理サーバ９１に送信する。
【０１１５】
受注処理部２３６は、管理サーバ９１から送信されてくる受注エラー通知を受信し、発注装置７３の発注処理部２３２に送信する。また、受注処理部２３６は、管理サーバ９１から送信されてくる受注許可通知を受信し、発注装置７３の発注処理部２３２に送信する。さらに、受注処理部２３６は、受注許可通知に応じて、送信部２３５から供給される受注情報に対応する商品の受注処理を行い、包括加盟店５３からの受注金額の入金処理を行う。
【０１１６】
図１０は、管理サーバ９１の機能的構成例を示すブロック図である。
【０１１７】
図１０の管理サーバ９１は、購入情報受信部２４１、購入情報送信部２４２、受注情報受信部２４３、算出部２４４、金額送信部２４５、与信受信部２４６、通知部２４７、および処理部２４８により構成される。なお、購入情報受信部２４１、購入情報送信部２４２、受注情報受信部２４３、金額送信部２４５、与信受信部２４６、および通知部２４７は、例えば管理サーバ９１の通信部に対応し、算出部２４４と処理部２４８は、例えば管理サーバ９１のCPUに対応する。
【０１１８】
購入情報受信部２４１は、端末装置７１の送信部２２２から送信されてくるカード情報と購入情報を受信する。購入情報受信部２４１は、そのカード情報と購入情報を購入情報送信部２４２に供給し、購入情報に含まれる購入金額を算出部２４４に供給する。また、購入情報受信部２４１は、端末装置７１の送信部２２２から送信されてくる購入通知を受信し、その購入通知を購入情報送信部２４２に供給する。
【０１１９】
購入情報送信部２４２は、購入情報受信部２４１から供給されるカード６１のカード情報と購入情報を、決済サーバ１０１に送信する。また、購入情報送信部２４２は、購入情報受信部２４１から供給される購入通知を決済サーバ１０１に送信する。
【０１２０】
受注情報受信部２４３は、受注装置８１の受注処理部２３６からカード情報と受注情報を受信し、そのカード情報と受注情報に含まれる受注金額とを金額送信部２４５に供給する。
【０１２１】
算出部２４４は、購入情報受信部２４１から供給される購入金額を、所定の期間積算し、積算の結果得られる積算金額を債権金額（債務金額）に設定する。そして、算出部２４４は、設定した債権金額（債務金額）を金額送信部２４５と処理部２４８に供給する。
【０１２２】
金額送信部２４５は、受注情報受信部２４３から供給される受注金額と、算出部２４４から供給される債権金額（債務金額）を、金額情報として、カード７２のカード情報とともに決済サーバ１１１に送信する。
【０１２３】
与信受信部２４６は、購入情報送信部２４２により送信されたカード情報と購入情報に応じて、決済サーバ１０１から送信されてくる消費者与信情報を受信し、その消費者与信情報を端末装置７１の受信部２２３に送信する。また、与信受信部２４６は、決済サーバ１１１から送信されてくる小売店与信情報を受信する。与信受信部２４６は、その小売店与信情報に応じて、受注エラー通知または受注許可通知を通知部２４７に供給する。さらに、与信受信部２４６は、小売店与信情報を処理部２４８に供給する。
【０１２４】
通知部２４７は、与信受信部２４６から供給される受注エラー通知または受注許可通知を、受注装置８１の受注処理部２３６に送信する。
【０１２５】
処理部２４８は、与信受信部２４６から供給される小売店与信情報に応じて、卸問屋５１への受注金額の出金処理を行う。また、処理部２４８は、カード会社５４からの受注金額の入金処理を行う。さらに、処理部２４８は、決済サーバ１１１による債権金額以内の受注金額の請求処理に応じて、カード会社５４への請求金額の出金処理を行う。また、処理部２４８は、算出部２４４から供給される債権金額に基づいて、小売店５２への精算金額の出金処理を行う。なお、精算金額とは、債権金額から、債権金額以内の受注金額を減算した金額である。
【０１２６】
一方、決済サーバ１１１により債権金額以内の受注金額の請求処理が行われない場合（カード会社５４が小売店５２から受注金額を回収することができた場合）、処理部２４８は、小売店５２への債権金額の出金処理を行う。
【０１２７】
図１１は、決済サーバ１０１の機能的構成例を示すブロック図である。
【０１２８】
図１１の決済サーバ１０１は、受信部２５１、与信部２５２、送信部２５３、および処理部２５４により構成される。なお、受信部２５１と送信部２５３は、例えば決済サーバ１０１の通信部に対応し、与信部２５２と処理部２５４は、例えば決済サーバ１０１のCPUに対応する。
【０１２９】
受信部２５１は、管理サーバ９１の購入情報送信部２４２から送信されてくる、カード情報と購入情報を受信し、与信部２５２に供給する。
【０１３０】
与信部２５２は、受信部２５１から供給されるカード情報と購入情報に基づいて、消費者１４に対して与信するかどうかを判定する。具体的には、与信部２５２は、例えば、現在の日にちが、カード情報に含まれるカード６１の有効期限内であるかどうか、購入情報に含まれる購入金額が、消費者１４に対して与信可能な金額として予め設定された消費者与信可能金額以内であるかどうかなどによって、消費者１４に対して与信するかどうかを判定する。与信部２５２は、判定結果を表す消費者与信情報を送信部２５３に供給する。
【０１３１】
送信部２５３は、与信部２５２から供給される消費者与信情報を管理サーバ９１の与信受信部２４６に送信する。処理部２５４は、包括加盟店５３への購入金額の出金処理を行う。また、処理部２５４は、消費者１４に対する購入金額の請求処理を行う。さらに、処理部２５４は、請求に応じて消費者１４から入金される購入金額の入金処理を行う。
【０１３２】
図１２は、決済サーバ１１１の機能的構成例を示すブロック図である。
【０１３３】
図１２の決済サーバ１１１は、受信部２６１、与信部２６２、送信部２６３、および処理部２６４により構成される。なお、受信部２６１と送信部２６３は、例えば決済サーバ１１１の通信部に対応し、与信部２６２と処理部２６４は、例えば決済サーバ１１１のCPUに対応する。
【０１３４】
受信部２６１は、管理サーバ９１の金額送信部２４５から送信されてくる、カード情報と金額情報を受信し、そのカード情報と金額情報を与信部２６２に供給する。
【０１３５】
与信部２６２は、受信部２６１から供給されるカード情報と金額情報に基づいて、小売店５２に対して与信するかどうかを判定する。具体的には、例えば、与信部２６２は、現在の日にちが、カード情報に含まれるカード７２の有効期限内であるかどうか、金額情報に含まれる受注金額が、小売店５２の債権金額と、小売店５２に対して与信可能な金額として予め設定された小売与信可能金額とを加算した金額以内であるかどうかなどによって、小売店５２に対して与信するかどうかを判定する。与信部２６２は、判定結果を表す小売与信情報を送信部２６３と処理部２６４に供給する。
【０１３６】
送信部２６３は、与信部２６２から供給される小売与信情報を管理サーバ９１の与信受信部２４６に送信する。処理部２６４は、与信部２６２から供給される小売与信情報に応じて、包括加盟店５３への受注金額の出金処理を行う。また、処理部２６４は、小売店５２に対して受注金額に対応する発注金額の請求処理を行う。
【０１３７】
小売店５２から発注金額の入金がない場合、処理部２６４は、管理サーバ９１に対して、その小売店５２の債権金額以内の受注金額の請求処理を行う。また、処理部２６４は、その請求処理に対応して、包括加盟店５３から請求金額として入金される債権金額以内の受注金額の入金処理を行う。一方、小売店５２から発注金額の入金がある場合、処理部２６４は、小売店５２からの発注金額の入金処理を行う。
【０１３８】
次に、図１３を参照して、卸問屋５１、小売店５２、包括加盟店５３、およびカード会社における代金のやり取りの時期について説明する。なお、図１３の横軸は、日にちを表している。
【０１３９】
以下では、包括加盟店５３は、各月の1日から15日までに小売店５２で消費者１４により購入された商品の購入金額を、まとめて、その月の月末に小売店５２に支払い、各月の16日から月末までに小売店５２で購入された商品の購入金額を、まとめて、翌月の15日に支払うものとする。
【０１４０】
また、カード会社５４は、各月の1日から15日までに小売店５２により発注された商品の発注金額に対応する受注金額を、まとめて、その月の月末に包括加盟店５３に支払い、各月の16日から月末までに小売店５２により発注された商品の発注金額に対応する受注金額を、まとめて、翌月の15日に支払うものとする。
【０１４１】
消費者１４は、各月の月末までに小売店５２において購入した商品の代金を、まとめて翌月の月末にカード会社１５に支払うものとする。
【０１４２】
さらに、以下では、各月の1日から15日までの期間、および、各月の16日から月末までの期間を特に区別する必要がない場合、それらをまとめて半期という。
【０１４３】
図１３の例では、小売店５２は、2月1日から2月15日までの間にカード７２を用いて発注を行う。卸問屋５１が、その発注された商品を受注し、その商品を中央卸売市場１１から仕入れると、包括加盟店５３は、仕入日から3日後に、その商品の受注金額を卸問屋５１に支払う。これにより、卸問屋５１は、包括加盟店５３から回収された受注金額を用いて、仕入日から３日後に、仕入れた商品の代金を中央卸売市場１１に支払うことができる。従って、卸問屋５１は受注金額を立て替える必要がない。その結果、卸問屋５１は、より高額の注文を受けることが可能となる。
【０１４４】
2月15日には、包括加盟店５３は、1月15日から1月末までに小売店５２で購入された商品の購入金額を、小売店５２に支払う。しかしながら、2月15日までに、カード会社５４が、2月15日の直前の半期である2月1日から2月15日までに仕入れられた商品の発注金額を、小売店５２から回収することができない場合、包括加盟店５３は、2月15日に小売店５２に支払う予定の半期分の購入金額を小売店５２の債権金額（包括加盟店５３の債務金額）として、その債権金額（債務金額）以内の、回収が不可能である発注金額に対応する受注金額をカード会社５４に支払い、精算金額（債権金額と受注金額との差額）を小売店５２に支払う。
【０１４５】
この後、2月末には、カード会社５４は、2月1日から2月15日までに卸問屋５１により受注された商品の受注金額を包括加盟店５３に支払う。
【０１４６】
次に、図１４を参照して、債権金額について説明する。なお、図１４において、横軸は日にちを表し、縦軸は金額を表している。
【０１４７】
図１４に示すように、小売店５２の包括加盟店５３に対する債権金額は、半期ごとの購入金額の積算値である。この債権金額は、対応する半期の直後の半期分、即ち、対応する半期の直後から、その債権金額が決済されるまでの期間の、小売店５２からの回収が不可能である発注金額の回収に用いられる。即ち、相殺の対象とされる。具体的には、各月の1日から15日までの半期分の債権金額は、その半期の直後の半期である同月の16日から月末までの半期分の、回収が不可能である発注金額の回収に用いられる。また、各月の16日から月末までの半期分の債権金額は、その半期の直後の半期である翌月の1日から15日までの半期分の、回収が不可能である発注金額の回収に用いられる。
【０１４８】
次に、図１５を参照して、図１２の決済サーバ１１１の与信部２６２により行われる、小売店５２に対して与信をするかどうかの判定について説明する。
【０１４９】
なお、図１５において、横軸は、受注の種類を表し、縦軸は、金額を表している。また、図１５において、現在の日にちが、カード情報に含まれるカード７２の有効期限内であるものとする。
【０１５０】
図１５の例において、受注金額が第１の受注金額である場合、第１の受注金額は、受注日までに包括加盟店５３から小売店５２に対して決済が行われていない、受注日の直前の半期分の債権金額より小さい。この場合、仮に小売店５２からの回収が不可能であったとしても、カード会社５４は、第１の受注の受注金額を、小売店５２が包括加盟店５３に対して有する債権金額から回収することができるので、与信部２６２は、第１の受注金額を小売店５２に対して与信すると判定する。
【０１５１】
また、受注金額が第２の受注金額である場合、第２の受注金額は、受注日までに包括加盟店５３から小売店５２に対して決済が行われていない、受注日の直前の半期分の債権金額以上であり、かつ、その債権金額と小売与信可能金額とを加算した金額以下である。この場合、仮に小売店５２からの回収が不可能であったとしても、少なくとも小売店５２が包括加盟店５３に対して有する債権金額の分は、包括加盟店５３が回収することができるので、カード会社５４は、第２の受注金額のうちの債権金額以上の金額を与信金額とすればよい。そして、この与信金額は、小売与信可能金額以内の金額である。従って、与信部２６２は、第２の受注金額を小売店５２に対して与信すると判定する。
【０１５２】
さらに、受注金額が第３の受注金額である場合、第３の受注金額は、受注日までに包括加盟店５３から小売店５２に対して決済が行われていない、受注日の直前の半期分の債権金額と小売与信可能金額とを加算した金額より大きい。この場合、仮に小売店５２からの回収が不可能であったとき、カード会社５４は、小売店５２が包括加盟店５３に対して有する債権金額の分を包括加盟店５３から回収したとしても、与信金額は、小売与信可能金額より大きい金額となる。従って、与信部２６２は、第３の受注金額を小売店５２に対して与信しないと判定する。
【０１５３】
以上のように、与信部２６２は、受注日までに包括加盟店５３から小売店５２に対して決済が行われていない債権金額、即ち、包括加盟店５３から回収可能な金額に基づいて、小売店５２に対して与信するかどうかを判定するので、より安全に与信の判定を行うことができる。その結果、小売業者がカード７２を用いて発注した商品の代金を安全に決済することができる。
【０１５４】
次に、図１６を参照して、消費者１４がカード６１を用いて商品を購入する場合の、決済処理システム４１における処理について説明する。なお、この処理は、例えば、購入情報が入力され、カード６１が端末装置７１に装着されたとき、開始される。
【０１５５】
ステップＳ１１において、端末装置７１の送信部２２２は、取得部２２１により取得されたカード６１のカード情報と購入情報を、管理サーバ９１に送信する。
【０１５６】
ステップＳ２１において、管理サーバ９１の購入情報受信部２４１は、端末装置７１の送信部２２２から送信されてくるカード情報と購入情報を受信し、受信したカード情報と購入情報を購入情報送信部２４２に供給する。ステップＳ２２において、購入情報送信部２４２は、購入情報受信部２４１から供給されるカード情報と購入情報を、決済サーバ１０１に送信する。
【０１５７】
ステップＳ３１において、決済サーバ１０１の受信部２５１は、管理サーバ９１の購入情報送信部２４２から送信されてくる、カード情報と購入情報を受信し、与信部２５２に供給する。
【０１５８】
ステップＳ３２において、与信部２５２は、受信部２５１から供給されるカード情報と購入情報に基づいて、消費者１４に対して与信するかどうかを判定する。そして、与信部２５２は、判定結果を表す消費者与信情報を送信部２５３に供給する。ステップＳ３３において、送信部２５３は、与信部２５２から供給される消費者与信情報を管理サーバ９１に送信する。
【０１５９】
ステップＳ２３において、管理サーバ９１の与信受信部２４６は、決済サーバ１０１の送信部２５３から送信されてくる消費者与信情報を受信する。ステップＳ２４において、与信受信部２４６は、その消費者与信情報を端末装置７１に送信する。
【０１６０】
ステップＳ１２において、端末装置７１の受信部２２３は、管理サーバ９１の与信受信部２４６から送信されてくる消費者与信情報を受信し、送信部２２２に供給する。ステップＳ１３において、送信部２２２は、消費者与信情報に基づいて、消費者１４が決済サーバ１０１により与信されたかどうかを判定し、与信されていないと判定した場合、ステップＳ１４において、送信部２２２は、購入の拒否を表すエラーメッセージをディスプレイ１２６に表示させる。このとき、消費者１４によるカード６１を使用した商品の購入は拒否される。
【０１６１】
一方、ステップＳ１３において、消費者１４が決済サーバ１０１により与信されたと判定された場合、ステップＳ１５において、送信部２２２は、購入の許可を表す許可メッセージをディスプレイ１２６に表示させ、購入通知を管理サーバ９１に送信する。このとき、消費者１４に対して商品が渡される。
【０１６２】
ステップＳ２５において、管理サーバ９１の購入情報受信部２４１は、端末装置７１の送信部２２２から送信されてくる購入通知を受信し、その購入通知を購入情報送信部２４２に供給する。ステップＳ２６において、購入情報送信部２４２は、購入情報受信部２４１から供給される購入通知を決済サーバ１０１に送信する。
【０１６３】
ステップＳ３４において、決済サーバ１０１の受信部２５１は、管理サーバ９１の購入情報送信部２４２から購入通知を受信し、処理部２５４に供給する。ステップＳ３５において、処理部２５４は、受信部２５１から供給される購入通知に応じて、包括加盟店５３への購入金額の出金処理を行う。この処理は、平均30日乃至45日後に行われる。
【０１６４】
ステップＳ３６において、処理部２５４は、消費者１４に対する購入金額の請求処理を行う。この処理は、月末締めの翌月末に行われる。ステップＳ３７において、処理部２５４は、購入金額に対する、請求に応じた消費者１４からの入金処理を行う。
【０１６５】
ステップＳ２７において、管理サーバ９１の処理部２４８は、ステップＳ３５におけるカード会社５４の出金処理に対応して、購入金額に対するカード会社５４からの入金処理を行う。ステップＳ２８において、算出部２４４は、現在の日時が、小売店５２に対して決済する日時（いまの場合、各月の15日または月末の所定の時刻）であるかどうかを判定する。ステップＳ２８で現在の日時が決済日時ではないと判定された場合、ステップＳ２９において、算出部２４４は、購入金額をこれまでのその小売店５２の積算金額にさらに積算する。
【０１６６】
一方、ステップＳ２８で現在の日時が決済日時であると判定された場合、ステップＳ３０において、管理サーバ９１は、小売店５２に対して決済する決済処理を行う。この決済処理の詳細は、図１７に示されている。
【０１６７】
次に、図１７を参照して、図１６のステップＳ３０の決済処理について説明する。
【０１６８】
ステップＳ４１において、管理サーバ９１の算出部２４４は、ステップＳ２９で積算された、決済日時の直前の購入金額の積算金額を、その小売店５２の債権金額（包括加盟店５３のその小売店５２に対する債務金額）に設定し、その債権金額を金額送信部２４５と処理部２４８に供給する。そして、算出部２４４は、それまでの積算金額をリセットする。
【０１６９】
ステップＳ４２において、処理部２４８は、カード会社５４が小売店５２から受注金額を回収することができないため、カード会社５４から前回の債権金額以内の未回収の受注金額が請求金額として請求されたかどうか、即ち、後述する図１８のステップＳ８８において、決済サーバ１１１により、包括加盟店５３に対する、前回の債権金額以内の未回収の受注金額の請求処理（未回収分の請求処理）が行われたかどうかを判定する。
【０１７０】
ステップＳ４２において、カード会社５４から債権金額以内の未回収の受注金額が請求金額として請求されていない（未回収分は存在しない）と判定された場合、ステップＳ４３において、処理部２４８は、小売店５２への債権金額の出金処理を行い、処理は終了する。
【０１７１】
一方、ステップＳ４２において、カード会社５４から債権金額以内の未回収の受注金額が請求金額として請求されたと判定された場合（未回収分が存在する場合）、ステップＳ４４において、処理部２４８は、カード会社５４への請求金額の出金処理を行う。これにより、カード会社５４は、債権金額以内の受注金額を、小売店５２からではなく包括加盟店５３から回収することができる。
【０１７２】
ステップＳ４５において、処理部２４８は、算出部２４４から供給される債権金額から請求金額を減算し、その結果得られる金額を精算金額とする。ステップＳ４６において、処理部２４８は、小売店５２への精算金額の出金処理を行い、処理は終了する。即ち、包括加盟店５３は、ステップＳ４４でカード会社５４に支払った分を、小売店５２が包括加盟店５３に対して有する債権から相殺することで回収する。
【０１７３】
次に、図１８を参照して、小売店５２がカード７２を用いて発注を行う場合の、決済処理システム４１における処理について説明する。なお、この処理は、例えば、発注情報が入力され、カード７２が発注装置７３に装着されたとき、開始される。
【０１７４】
ステップＳ５１において、発注処理部２３２は、取得部２３１により取得されたカード情報と発注情報を、受注装置８１に送信する。
【０１７５】
ステップＳ６１において、受注装置８１の送信部２３５は、発注装置７３の発注処理部２３２から送信されてくるカード情報と発注情報を受信する。ステップＳ６２において、送信部２３５は、発注情報に対応する受注情報を受注処理部２３６に供給するとともに、カード情報と発注情報に対応する受注情報とを管理サーバ９１に送信する。
【０１７６】
ステップＳ７１において、管理サーバ９１の受注情報受信部２４３は、受注装置８１の送信部２３５からカード情報と受注情報を受信し、カード情報と受注情報に含まれる受注金額とを金額送信部２４５に供給する。ステップＳ７２において、金額送信部２４５は、受注情報受信部２４３から供給される受注金額と、算出部２４４から供給される債権金額を、金額情報として、カード情報とともに決済サーバ１１１に送信する。
【０１７７】
ステップＳ８１において、決済サーバ１１１の受信部２６１は、管理サーバ９１の金額送信部２４５からカード情報と金額情報を受信し、そのカード情報と金額情報を与信部２６２に供給する。ステップＳ８２において、与信部２６２は、受信部２６１から供給されるカード情報と金額情報に基づいて、小売店５２に対して与信するかどうかを判定する。図１５を参照して説明したように、受注金額が第１の受注金額または第２の受注金額である場合には、与信が与えられ、第３の受注金額である場合には、与信は与えられない。そして、与信部２６２は、判定結果を表す小売与信情報を送信部２６３と処理部２６４に供給する。
【０１７８】
ステップＳ８３において、送信部２６３は、与信部２６２から供給される小売与信情報を管理サーバ９１に送信する。ステップＳ８４において、処理部２６４は、小売与信情報に基づいて、小売店５２に対して与信したかどうかを判定する。ステップＳ８４で小売店５２に対して与信していないと判定された場合、処理は終了する。
【０１７９】
一方、ステップＳ８４で小売店５２に対して与信したと判定された場合、ステップＳ８５において、処理部２６４は、包括加盟店５３への受注金額の出金処理を行う。ステップＳ８６において、処理部２６４は、小売店５２に対する受注金額に対応する発注金額の請求処理を行う。即ち、ステップＳ８５で包括加盟店５３に対して支払われた受注金額を小売店５２から回収するための請求が行われる。
【０１８０】
ステップＳ８７において、処理部２６４は、ステップＳ８６で請求された金額について小売店５２から入金があったかどうかを判定し、入金がないと判定した場合、即ち、包括加盟店５３に支払った受注金額を小売店５２から回収できなかった場合、ステップＳ８８において、処理部２６４は、包括加盟店５３に対する債権金額以内の未回収の受注金額の請求処理を行う。
【０１８１】
カード会社５４は、包括加盟店５３と包括加盟店契約を締結しているので、図１５を参照して説明したように、カード会社５４が小売店５２に対して有する債権を、小売店５２が包括加盟店５３に対して有する債権金額の分だけ包括加盟店５３が保証している。従って、カード会社５４は小売店５２から回収できなかった場合、図１５における第１の受注金額、あるいは第２の受注金額のうちの債権金額の分までを（即ち、債権金額以内の未回収の受注金額を）、包括加盟店５３に請求することができ、この請求がここで行われる。この保証があるので、カード会社５４は小売店５２と会員契約を締結して、クレジットカードを発行し易くなるのである。
【０１８２】
ステップＳ８８の請求が行われると、上述したように、図１７のステップＳ４２において、債権金額以内の未回収の受注金額が請求されたと判定され、図１７のステップＳ４４において、包括加盟店５３はカード会社５４に対してその請求に対する支払を行う。
【０１８３】
ステップＳ８９において、処理部２６４は、図１７のステップＳ４６で行われる出金処理に対応して、請求金額に対する包括加盟店５３からの入金処理を行い、処理を終了する。一方、ステップＳ８７において、小売店５２から入金があったと判定された場合、即ち、未回収分が発生しなかった場合、ステップＳ９０において、処理部２６４は、発注金額に対する小売店５２からの入金処理を行い、処理を終了する。
【０１８４】
ステップＳ７３において、管理サーバ９１の与信受信部２４６は、決済サーバ１１１の送信部２６３から小売店与信情報を受信し、その小売店与信情報を処理部２４８に供給する。ステップＳ７４において、与信受信部２４６は、小売店与信情報に基づいて、決済サーバ１１１により小売店５２が与信されたかどうかを判定し、与信されてないと判定した場合、与信受信部２４６は、受注エラー通知を通知部２４７に供給する。そして、通知部２４７は、受注エラー通知を受注装置８１に送信する。
【０１８５】
ステップＳ６３において、受注装置８１の受注処理部２３６は、管理サーバ９１の与信受信部２４６からの受注エラー通知を受信する。ステップＳ６４において、受注処理部２３６は、その受注エラー通知を発注装置７３に送信する。
【０１８６】
ステップＳ５２において、発注装置７３の発注処理部２３２は、受注装置８１の受注処理部２３６から受注エラー通知を受信する。ステップＳ５３において、発注処理部２３２は、発注の拒否を示すエラーメッセージを出力部２０７に表示させる。従って、小売店５２は、カード７２による決済ができないことを知ることができる。
【０１８７】
一方、ステップＳ７４で決済サーバ１１１により小売店５２が与信されたと判定された場合、与信受信部２４６は、受注許可通知を通知部２４７に供給し、ステップＳ７５において、管理サーバ９１の与信受信部２４６は、受注許可通知を受注装置８１に送信する。ステップＳ７６において、処理部２４８は、卸問屋５１による仕入日から３日後に卸問屋５１への受注金額の出金処理を行う。ステップＳ７７において、処理部２４８は、ステップＳ８５で行われた出金処理に対応して、受注金額に対するカード会社５４からの入金処理を行う。
【０１８８】
ステップＳ６５において、受注装置８１の受注処理部２３６は、管理サーバ９１の与信受信部２４６から送信されてくる受注許可通知を受信する。ステップＳ６６において、その受注許可通知を発注装置７３に送信する。
【０１８９】
ステップＳ６７において、受注処理部２３６は、送信部２３５から供給される受注情報に対応する商品の受注処理を行う。この受注処理としては、例えば、受注情報を、仕入れる商品の情報である仕入れ情報として記憶部に記憶する処理などがある。卸問屋５１は、仕入れ情報にしたがって、受注した商品を所定の中央卸売市場１１から仕入れる。
【０１９０】
以上のように、小売業者に対して与信すると判定された場合に、受信処理部２３６が受信処理を行うので、商品の受注をより安全に管理することができる。
【０１９１】
ステップＳ６８において、受注処理部２３６は、ステップＳ７６で管理サーバ９１により行われる出金処理に対応して、仕入日から３日後に、受注金額に対する包括加盟店５３からの入金処理を行う。卸問屋５１は、この受注金額を用いて、同日に中央卸売市場１１に仕入れた商品の代金を支払う。
【０１９２】
ステップＳ５４において、発注装置７３の発注処理部２３２は、受注装置８１の受注処理部２３６から受注許可通知を受信し、発注の許可を示す許可メッセージを出力部２０７に表示させる。これにより、小売店５２は、カード７２による発注が行われたことを知ることができる。
【０１９３】
以上のように、図４の決済処理システム４１では、決済サーバ１１１が、受注金額が受注日の直前の半期分の債権金額と小売与信可能金額とを加算した金額より大きい場合、小売店５２に対して与信せず、小さい場合において、カード会社５４が小売店５２から受注金額を回収することができないとき、管理サーバ９１は、カード会社５４に対して債権金額以内の未回収の受注金額の出金処理を行う。これにより、カード会社５４は、小売与信可能金額以内の金額より大きい金額を負担しなくて済む。従って、安全に多くの小売店５２と会員契約を締結することができる。
【０１９４】
また、このとき、管理サーバ９１は、小売店５２に対して債権金額から債権金額以内の未回収の受注金額を減算した結果得られる精算金額の出金処理を行う。即ち、管理サーバ９１は、カード会社５４が小売店５２から受注金額を回収できなかったことにより発生した、包括加盟店５３が小売店５２に対して有する債権と、消費者１４がカード６１を用いて商品を購入することにより発生した、小売店５２が包括加盟店５３に対して有する債権とを相殺することにより、包括加盟店５３が小売店５２に対して有する債権を回収する。従って、包括加盟店５３は、安全な取引を行うことができる。
【０１９５】
なお、上述した説明では、購入金額と受注金額を半期分まとめて支払うものとしたが、まとめる期間は半期に限定されない。受注金額のまとめる期間が短い場合、小売店５２の倒産などにより、小売店５２からの受注金額の回収が不可能になる確率が低下するため、カード会社５４が与信金額を負担する危険は少なくなる。
【０１９６】
本発明は、例えば、クレジットカードを用いて決済を行う決済処理システムに適用することができる。
【０１９７】
また、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９８】
さらに、本明細書において、システムとは、複数の装置により構成される装置全体を表すものである。
【０１９９】
また、本発明の実施の形態は、上述した実施の形態に限定されるものではなく、本発明の要旨を逸脱しない範囲において種々の変更が可能である。
【図面の簡単な説明】
【０２００】
【図１】従来の市場の商品と代金の流れの一例について説明する図である。
【図２】市場の商品と代金の流れの他の一例について説明する図である。
【図３】本発明を適用した決済処理システムにより実現される市場の商品と代金の流れについて説明する図である。
【図４】本発明を適用した決済処理システムの一実施の形態の構成例を示すブロック図である。
【図５】端末装置の構成例を示すブロック図である。
【図６】発注装置の構成例を示すブロック図である。
【図７】端末装置の機能的構成例を示すブロック図である。
【図８】発注装置の機能的構成例を示すブロック図である。
【図９】受注装置の機能的構成例を示すブロック図である。
【図１０】管理サーバの機能的構成例を示すブロック図である。
【図１１】決済サーバの機能的構成例を示すブロック図である。
【図１２】他の決済サーバの機能的構成例を示すブロック図である。
【図１３】代金のやり取りの時期について説明する図である。
【図１４】債権金額について説明する図である。
【図１５】小売店に対して与信をするかどうかの判定について説明する図である。
【図１６】消費者がカードを用いて商品を購入する場合の、決済処理システムにおける処理について説明するフローチャートである。
【図１７】決済処理について説明するフローチャートである。
【図１８】小売店がカードを用いて発注を行う場合の、決済処理システムにおける処理について説明するフローチャートである。
【符号の説明】
【０２０１】
１４  消費者,  ４１  決済処理システム,  ６１  カード,  ７２  カード,  ７３  発注装置,  ８１  受注装置,  ９１  管理サーバ,  １０１  決済サーバ,  １１１  決済サーバ,  ２２１  取得部,  ２２２  送信部,  ２３２  発注処理部,  ２３５  送信部,  ２３６  受注処理部,  ２４１  購入情報受信部,  ２４２  購入情報送信部,  ２４３  受注情報受信部,  ２４５  金額送信部,  ２４６  与信受信部,  ２４７  通知部,  ２４８  処理部,  ２５１  受信部,  ２５４  処理部,  ２６１  受信部,  ２６２  与信部,  ２６３  送信部,  ２６４  処理部
【図１】
2008210125.tif 000003
【図２】
2008210125.tif 000004
【図３】
2008210125.tif 000005
【図４】
2008210125.tif 000006
【図５】
2008210125.tif 000007
【図６】
2008210125.tif 000008
【図７】
2008210125.tif 000009
【図８】
2008210125.tif 000010
【図９】
2008210125.tif 000011
【図１０】
2008210125.tif 000012
【図１１】
2008210125.tif 000013
【図１２】
2008210125.tif 000014
【図１３】
2008210125.tif 000015
【図１４】
2008210125.tif 000016
【図１５】
2008210125.tif 000017
【図１６】
2008210125.tif 000018
【図１７】
2008210125.tif 000019
【図１８】
2008210125.tif 000020